(57)【要約】【課題】移動無線端末へのデータ圧縮されたパケットデータに対しても正確な課金処理を可能とする。【解決手段】ＧＧＳＮ２０で、ＩＰ網４０から移動無線端末（ＭＳ）７０へのパケットデータを受信すると、圧縮前のパケットデータに基づいて少なくともパケットデータサイズを含む課金付加情報を生成し、圧縮されたパケットデータに課金付加情報を付加して、ＳＧＳＮ１０へ送出する。ＳＧＳＮで、そのパケットデータを受信すると、付加されている課金付加情報を抽出し保存し、課金付加情報が除去された圧縮されたパケットデータを無線基地局制御装置（ＢＳＣ）５０、無線基地局（ＢＴＳ）６０を通してＭＳへ送出する。ＭＳから当該パケットデータの送達確認の応答を受信すると保存していた課金付加情報のうち少なくとも圧縮前のパケットデータサイズに基づいて課金処理を行う。【選択図】      図１
2005109537.tif 000002
【特許請求の範囲】
【請求項１】
パケット通信機能を有する移動無線端末と、前記移動無線端末との間で無線パケット通信を行う無線基地局と、前記移動無線端末と前記無線基地局とが使用する無線資源及び位置情報を管理する無線基地局制御装置と、前記無線基地局制御装置及び前記無線基地局とを通して前記移動無線端末との間で無線パケット通信プロトコルによるデータ通信処理を行い、課金情報を収集する第一のノード装置と、前記第一のノード装置と接続されＩＰ網との間でデータの圧縮／伸長を含むデータゲートウエイ機能を実現し、課金情報を収集する第二のノード装置とを備える移動無線システムにおいて、
前記第二のノード装置が、前記ＩＰ網から前記移動無線端末へのパケットデータを受信すると、圧縮前のパケットデータに基づいて少なくともパケットデータサイズを含む課金付加情報を生成し、圧縮されたパケットデータに前記課金付加情報を付加して、前記第一のノード装置へ送出する手段を有し、
前記第一のノード装置が、前記第二のノード装置から前記移動無線端末への前記圧縮されたパケットデータを受信すると、前記課金付加情報を抽出し保存し、当該課金付加情報が除去された圧縮されたパケットデータを前記無線基地局制御装置を通して前記移動無線端末へ送出し、前記移動無線端末から当該圧縮されたパケットデータの送達確認の応答を受信すると前記保存した課金付加情報のうち少なくとも圧縮前のパケットデータサイズに基づいて課金処理を行う手段を有することを特徴とする移動無線システム。
【請求項２】
前記課金付加情報に、課金のキー情報となる、プロトコル種別，接続先ポート番号，接続先ＩＰアドレス情報，及び加入者のサービス契約条件に基づいた情報のうちの任意のいずれかまたはその組み合わせを含むパケットヘッダ情報を追加したことを特徴とする請求項１記載の移動無線システム。
【請求項３】
パケット通信機能を有する移動無線端末と、前記移動無線端末との間で無線パケット通信を行う無線基地局と、前記移動無線端末と前記無線基地局とが使用する無線資源及び位置情報を管理する無線基地局制御装置と、前記無線基地局制御装置及び前記無線基地局とを通して前記移動無線端末との間で無線パケット通信プロトコルによるデータ通信処理を行い、課金情報を収集する第一のノード装置と、前記第一のノード装置と接続されＩＰ網との間でデータの圧縮／伸長を含むデータゲートウエイ機能を実現し、課金情報を収集する第二のノード装置とを備える移動無線システムにおけるパケットデータの課金方法において、
前記第二のノード装置で、前記ＩＰ網から前記移動無線端末へのパケットデータを受信すると、圧縮前のパケットデータに基づいて少なくともパケットデータサイズを含む課金付加情報を生成し、圧縮されたパケットデータに前記課金付加情報を付加して、前記第一のノード装置へ送出し、
前記第一のノード装置で、前記第二のノード装置から前記移動無線端末への前記圧縮されたパケットデータを受信すると、前記課金付加情報を抽出し保存し、当該課金付加情報が除去された圧縮されたパケットデータを前記無線基地局制御装置を通して前記移動無線端末へ送出し、前記移動無線端末から当該圧縮されたパケットデータの送達確認の応答を受信すると前記保存した課金付加情報のうち少なくとも圧縮前のパケットデータサイズに基づいて課金処理を行うことを特徴とする課金方法。
【請求項４】
前記課金付加情報に、課金のキー情報となる、プロトコル種別，接続先ポート番号，接続先ＩＰアドレス情報，及び加入者のサービス契約条件に基づいた情報のうちの任意のいずれかまたはその組み合わせを含むパケットヘッダ情報を追加したことを特徴とする請求項３記載の課金方法。
【請求項５】
請求項１記載の第二のノード装置として用いられ、前記ＩＰ網から前記移動無線端末へのパケットデータを受信する圧縮前データ受信手段と、前記圧縮前データ受信手段で受信したパケットデータに対し所定の課金キー情報に基づいて課金付加情報を生成する課金演算手段と、前記圧縮前データ受信手段で受信したパケットデータを所定のアルゴリズムに基づいてデータ圧縮するデータ圧縮手段と、前記データ圧縮手段からの圧縮されたパケットデータに前記課金演算手段からの課金付加情報を付加して前記第一のノード装置へ送出する圧縮済データ送信手段とを有することを特徴とするＧＧＳＮ。
【請求項６】
請求項１記載の第一のノード装置として用いられ、前記第二のノード装置から前記移動無線端末への圧縮されたパケットデータを受信し当該パケットデータに付加されている課金付加情報を抽出するデータ受信手段と、前記データ受信手段で抽出した課金付加情報を保存する課金情報記録手段と、前記データ受信手段からの前記課金付加情報が除去されたパケットデータを前記無線基地局制御装置を通して前記移動無線端末へ送出するデータ送信手段と、前記無線基地局制御装置から受信するパケットデータの内容を確認し前記データ送信手段から送信したパケットデータに対する前記移動無線端末からの送達確認の応答の受信か否かを判定する受信判定手段と、前記受信判定手段で前記送達確認の応答の受信が確認されると前記課金情報記録手段に保存していた課金付加情報に基づいて課金処理を行う課金演算手段とを有することを特徴とするＳＧＳＮ。
【発明の詳細な説明】
【技術分野】
【０００１】
本発明は、パケット通信機能を有する移動無線端末と；移動無線端末との間で無線パケット通信を行う無線基地局と；移動無線端末と無線基地局とが使用する無線資源及び位置情報を管理する無線基地局制御装置と；無線基地局制御装置及び無線基地局とを通して移動無線端末との間で無線パケット通信プロトコルによるデータ通信処理を行い、課金情報を収集する第一のノード装置と；第一のノード装置と接続されＩＰ網との間でデータの圧縮／伸長を含むデータゲートウエイ機能を実現し、課金情報を収集する第二のノード装置とを備える移動無線システムと、そのノード装置であるＧＧＳＮ及びＳＧＳＮと、そのパケットデータの課金方法とに関する。
【背景技術】
【０００２】
携帯電話の普及に伴い、携帯電話を使用したインターネットアクセス及び電子メール（Ｍａｉｌ）等のパケットデータ通信サービスを使用しているユーザ数が、増加の一途を辿っている。これに対し各携帯電話の通信事業者は、無線基地局を増設し、無線チャネルの拡充を図る等対応を迫られているが、通信コストの増加を招く要因ともなる為、通信データの圧縮処理、非対称パケット通信方式の採用等による下りデータ送信の高速化等によって、無線チャネルの有効活用と高速通信に対するエンドユーザの要求満足度の向上を図っている。
【０００３】
一方、移動無線通信システムにおけるデータ通信に対する課金方式（データ課金方式）の一例として、特許文献１（特表２０００−５０３８２５）に示されるような方式が提案されている。この従来の移動無線通信システムにおける課金システムは、無線移動機（ＭＳ）側で実施したパケット通信に対する課金処理を実行し、課金情報を通知するパケット無線サポートノード（ＳＧＳＮ）及びゲートウェイサポートノード（ＧＧＳＮ）と、ＳＧＳＮ及びＧＧＳＮからそれぞれ出力される課金情報を収集し、パケット通信サービスの利用者に対する課金情報を管理する勘定ゲートウェイサポートノード（ＢＧＧＳＮ）とから構成されている。
【０００４】
このような構成を有する従来の移動無線通信システムにおけるデータ課金システムは、次のように動作する。パケットデータ通信に対して課金を行う場合、通信時間を単位とした課金ではなく、エンドユーザが利用したパケットデータのデータ量を単位とした課金がなされ、かつ無線移動機（ＭＳ）間のデータ送達確認が完了したデータを対象として課金処理が行われる。上り方向、つまりＭＳから情報サービス提供者（ＩＳＰ）方向のデータ通信に対して課金を行う場合、ＭＳとパケット通信を制御する装置（ＳＧＳＮ）との間でのパケット送達確認がなされた後、ＩＳＰとのインタフェース接続点であるゲートウエイ装置（ＧＧＳＮ）から、ＩＳＰに向けてパケットが送信されたタイミングで、ＧＧＳＮにおいて課金処理が実行される。また下り方向、つまりＩＳＰからＭＳ方向へのデータ通信に対して課金を行う場合、ＳＧＳＮとＭＳとの間でのパケット送達確認がなされたタイミングで、課金が実行される。
【０００５】
すなわち、ＧＧＳＮから送信されたパケットについてＳＧＳＮ側で管理蓄積した情報と、ＳＧＳＮから送信されたパケットについてＧＧＳＮ側で管理蓄積した情報を勘定ゲートウエイサポートノード（ＢＧＧＳＮ）にて収集し、パケット通信利用者に対する課金情報を作成するというものであった。したがって、前述のデータ圧縮したパケット通信において課金を行う場合、パケットデータの圧縮および伸長処理はＧＧＳＮにおいて実行される為、下り方向のデータ課金については、ＳＧＳＮでは圧縮後のパケットデータ量による課金が実行され、ＧＧＳＮでは伸長後のパケットデータ量による課金が実行されている。
【０００６】
エンドユーザとしては、接続先のＩＳＰから自分の端末までの間のデータ通信が保証されていればよい訳で、データ圧縮を行い無線チャネルの有効活用を図るという各携帯電話通信事業者の企業努力に対する利益として、圧縮前のパケットサイズでの課金が妥当と考えるが、前述の通り、現状の移動無線通信システムにおいては課金処理を行う装置が異なっており、かつ圧縮前のパケットサイズ情報を伝達する機能を有しない為、ＩＳＰからＭＳ方向に圧縮されたデータを送信する場合、圧縮前のデータサイズがわからない為、ＳＧＳＮにおいては圧縮後のデータサイズでのみ課金されることになる。
【０００７】
また、情報サービス提供者とのインターネット接続をＰＰＰ（Ｐｏｉｎｔ  ｔｏ  Ｐｏｉｎｔ  Ｐｒｏｔｏｃｏｌ）を使用して行われるのが一般的であるが、これを使用した場合、呼が接続された後、通信終了されるまで送受信したデータに対して課金が行われる為、ユーザデータの回線を使用してインターネットアクセス認証用のデータ（ＮＣＰ：ＮｅｔｗｏｒｋＣｏｎｔｏｒｏｌ  Ｐｒｏｔｏｃｏｌ，ＬＣＰ：Ｌｉｎｋ  Ｃｏｎｔｏｒｏｌ  Ｐｒｏｔｏｃｏｌ）のやり取りについても、課金が行われる等、エンドユーザにとっては本来必要としている情報以外の通信に対する課金されることになる。
【０００８】
さらに他のデータ課金方式の例として、特許文献２（特開平７−１３１５５７）に示されるような情報通信システムに適用された方式が提案されている。この情報通信システムにおけるデータ課金システムでは、情報の中に課金情報を付与しその情報による重み付けによって、通信対象のデータに対する課金を行うものであった。
【０００９】
【特許文献１】特表２０００−５０３８２５号公報（第１頁、図１）
【特許文献２】特開平７−１３１５５７号公報（第２−３頁、図１）
【発明の開示】
【発明が解決しようとする課題】
【００１０】
これらの従来技術には、次のような問題点があった。
【００１１】
特許文献１記載技術では、ＧＧＳＮから送信されるパケットデータに、データ圧縮前のパケット情報が含まれないため、ＧＧＳＮでデータ圧縮されたパケットについて、ＳＧＳＮ側では正しい課金制御が行えないという問題点があった。
【００１２】
特許文献２記載技術では、単純な重み付けによりデータ課金を実現している為、課金パラメータの追加が行いにくく、別事業者間でのデータ通信を実現する上でも、課金管理情報の整合が必須となる等、課金方式の見直しの必要があるため、課金方式の拡張性に乏しいという問題点があった。
【００１３】
本発明の目的は、携帯電話によるパケット通信に対する課金の際、移動無線端末へのデータ圧縮されたパケットデータに対しても圧縮前のパケットデータサイズに基づいた正確な課金処理が実現できるとともに、ユーザに提供するサービスに応じた課金処理を実現可能とする圧縮データの課金機能を有する移動無線通信システム、及びそれに用いるノード装置とその課金方法を提供することにある。
【課題を解決するための手段】
【００１４】
本発明の請求項１に係る移動無線システムは、パケット通信機能を有する移動無線端末と、前記移動無線端末との間で無線パケット通信を行う無線基地局と、前記移動無線端末と前記無線基地局とが使用する無線資源及び位置情報を管理する無線基地局制御装置と、前記無線基地局制御装置及び前記無線基地局とを通して前記移動無線端末との間で無線パケット通信プロトコルによるデータ通信処理を行い、課金情報を収集する第一のノード装置と、前記第一のノード装置と接続されＩＰ網との間でデータの圧縮／伸長を含むデータゲートウエイ機能を実現し、課金情報を収集する第二のノード装置とを備える移動無線システムにおいて、前記第二のノード装置が、前記ＩＰ網から前記移動無線端末へのパケットデータを受信すると、圧縮前のパケットデータに基づいて少なくともパケットデータサイズを含む課金付加情報を生成し、圧縮されたパケットデータに前記課金付加情報を付加して、前記第一のノード装置へ送出する手段を有し、前記第一のノード装置が、前記第二のノード装置から前記移動無線端末への前記圧縮されたパケットデータを受信すると、前記課金付加情報を抽出し保存し、当該課金付加情報が除去された圧縮されたパケットデータを前記無線基地局制御装置を通して前記移動無線端末へ送出し、前記移動無線端末から当該圧縮されたパケットデータの送達確認の応答を受信すると前記保存した課金付加情報のうち少なくとも圧縮前のパケットデータサイズに基づいて課金処理を行う手段を有する。
【００１５】
本発明の請求項２に係る移動無線システムは、請求項１に係る移動無線システムにおいて、前記課金付加情報に、課金のキー情報となる、プロトコル種別，接続先ポート番号，接続先ＩＰアドレス情報，及び加入者のサービス契約条件に基づいた情報のうちの任意のいずれかまたはその組み合わせを含むパケットヘッダ情報を追加した構成を有する。
【００１６】
本発明の請求項３に係る課金方法は、パケット通信機能を有する移動無線端末と、前記移動無線端末との間で無線パケット通信を行う無線基地局と、前記移動無線端末と前記無線基地局とが使用する無線資源及び位置情報を管理する無線基地局制御装置と、前記無線基地局制御装置及び前記無線基地局とを通して前記移動無線端末との間で無線パケット通信プロトコルによるデータ通信処理を行い、課金情報を収集する第一のノード装置と、前記第一のノード装置と接続されＩＰ網との間でデータの圧縮／伸長を含むデータゲートウエイ機能を実現し、課金情報を収集する第二のノード装置とを備える移動無線システムにおけるパケットデータの課金方法において、前記第二のノード装置で、前記ＩＰ網から前記移動無線端末へのパケットデータを受信すると、圧縮前のパケットデータに基づいて少なくともパケットデータサイズを含む課金付加情報を生成し、圧縮されたパケットデータに前記課金付加情報を付加して、前記第一のノード装置へ送出し、前記第一のノード装置で、前記第二のノード装置から前記移動無線端末への前記圧縮されたパケットデータを受信すると、前記課金付加情報を抽出し保存し、当該課金付加情報が除去された圧縮されたパケットデータを前記無線基地局制御装置を通して前記移動無線端末へ送出し、前記移動無線端末から当該圧縮されたパケットデータの送達確認の応答を受信すると前記保存した課金付加情報のうち少なくとも圧縮前のパケットデータサイズに基づいて課金処理を行う工程を有する。
【００１７】
本発明の請求項４に係る課金方法は、請求項３に係る課金方法において、前記課金付加情報に、課金のキー情報となる、プロトコル種別，接続先ポート番号，接続先ＩＰアドレス情報，及び加入者のサービス契約条件に基づいた情報のうちの任意のいずれかまたはその組み合わせを含むパケットヘッダ情報を追加する工程を有する。
【００１８】
本発明の請求項５に係るＧＧＳＮは、請求項１に係る第二のノード装置として用いられ、前記ＩＰ網から前記移動無線端末へのパケットデータを受信する圧縮前データ受信手段と、前記圧縮前データ受信手段で受信したパケットデータに対し所定の課金キー情報に基づいて課金付加情報を生成する課金演算手段と、前記圧縮前データ受信手段で受信したパケットデータを所定のアルゴリズムに基づいてデータ圧縮するデータ圧縮手段と、前記データ圧縮手段からの圧縮されたパケットデータに前記課金演算手段からの課金付加情報を付加して前記第一のノード装置へ送出する圧縮済データ送信手段とを有する。
【００１９】
本発明の請求項６に係るＳＧＳＮは、請求項１に係る第一のノード装置として用いられ、前記第二のノード装置から前記移動無線端末への圧縮されたパケットデータを受信し当該パケットデータに付加されている課金付加情報を抽出するデータ受信手段と、前記データ受信手段で抽出した課金付加情報を保存する課金情報記録手段と、前記データ受信手段からの前記課金付加情報が除去されたパケットデータを前記無線基地局制御装置を通して前記移動無線端末へ送出するデータ送信手段と、前記無線基地局制御装置から受信するパケットデータの内容を確認し前記データ送信手段から送信したパケットデータに対する前記移動無線端末からの送達確認の応答の受信か否かを判定する受信判定手段と、前記受信判定手段で前記送達確認の応答の受信が確認されると前記課金情報記録手段に保存していた課金付加情報に基づいて課金処理を行う課金演算手段とを有する。
【発明の効果】
【００２０】
本発明によれば、データ圧縮されたパケットに、少なくとも圧縮前のパケットデータサイズを含む課金付加情報が添付された形で第二のノード装置（ＧＧＳＮ）から第一のノード装置（ＳＧＳＮ）に対してデータが送信される為、ＳＧＳＮでは移動無線端末（ＭＳ）に対する送信パケットの送達確認の上、添付された課金付加情報を利用して課金処理が実施できるので、データ圧縮されたパケットに対し、圧縮前のパケットデータサイズに基づいて課金が正確に行える。
【００２１】
また、パケットデータ圧縮の際、送信対象となるパケットに関して、課金のキー情報となるパケットヘッダ情報（プロトコル種別、接続先ポート番号、接続先ＩＰアドレス情報並びに加入者のサービス契約条件に基づいた情報）を課金付加情報に追加することで、パケットのより細やかな課金処理が可能な課金システムの構築が実現できるので、課金指標が拡張可能である。
【発明を実施するための最良の形態】
【００２２】
まず本発明の概要を説明する。携帯電話によるパケット通信に対する課金の際、課金制御情報（データサイズや、プロトコル種別，接続先ポート番号，接続先ＩＰアドレス情報，及び加入者のサービス契約条件に基づいた情報等の課金の条件を示す情報（課金キー情報））に基づいて生成した課金付加情報を利用することにより、データ圧縮されたデータに対しても圧縮前のデータサイズに基づいた正確な課金処理を行うとともに、課金管理情報（実際に課金対象となる送受信データの管理情報）に基づいて、ユーザに提供するサービスに応じた課金処理を行う。
【００２３】
次に、本発明の実施の形態について図面を参照して詳細に説明する。
【００２４】
図１は本発明の一実施の形態を示すシステム構成図である。図１において、本例の移動無線通信システムは、携帯電話システム（回線交換システム）にパケット交換システムを付加したシステム（ＧＰＲＳ：Ｇｅｎｅｒａｌ  Ｐａｃｋｅｔ  Ｒａｄｉｏ  Ｓｅｒｖｉｃｅ）であり、パケット通信機能を有する移動無線端末（ＭＳ：Ｍｏｂｉｌｅ  Ｓｔａｔｉｏｎ）７０と、ＭＳとの間で無線パケット通信制御機能を有する無線基地局（ＢＴＳ：Ｂａｓｅ  Ｔｒａｎｓｃｅｉｖｅｒ  Ｓｔａｔｉｏｎ）６０と、ＭＳとＢＴＳが使用する無線資源及び位置情報を管理する無線基地局制御装置（ＢＳＣ：Ｂａｓｅ  Ｓｔａｔｉｏｎ  Ｃｏｎｔｒｏｌｌｅｒ）５０と、ＭＳとの間で無線パケット通信プロトコルによりデータ通信処理並びに課金処理を行う課金機能を有する第一のノード装置であるアクセス制御・ノード装置（ＳＧＳＮ：Ｓｅｒｖｉｎｇ  ＧＰＲＳ  Ｓｕｐｐｏｒｔ  Ｎｏｄｅ）１０と、インターネットやイントラネット等のＩＰ網（ＩＰプロトコル（Ｉｎｔｅｒｎｅｔ  Ｐｒｏｔｏｃｏｌ）を用いる通信網）に接続し、ＭＳに対するインターネット接続サービスを提供するインターネットサービス事業者（ＩＳＰ：Ｉｎｔｅｒｎｅｔ  Ｓｅｒｖｉｃｅ  Ｐｒｏｖｉｄｅｒ）４０と、課金情報を生成する為に必要となる課金制御処理機能を有し、ＩＳＰを通したＩＰ網との間でデータゲートウエイ機能を実現する第二のノード装置であるゲートウェイ・ノード装置（ＧＧＳＮ：Ｇａｔｅｗａｙ  ＧＰＲＳ  Ｓｕｐｐｏｒｔ  Ｎｏｄｅ）２０と、ＧＧＳＮとＩＳＰとの間のパケット通信の際のセキュリティ保護の為に必要となるユーザ認証情報を管理する認証サーバ３０と、電話網９０とＢＳＣとの間に位置し、音声通信を実現する際に必要となる回線交換機能を有する移動交換局（ＭＳＣ：Ｍｏｂｉｌｅ  Ｓｗｉｔｃｈｉｎｇ  Ｃｅｎｔｅｒ）８０とを備えている。
【００２５】
なおＩＰ網の種類によっては、ＧＧＳＮはＩＳＰを通さずに直接ＩＰ網と接続することができる。その場合は、ＩＳＰ４０の代わりにＩＰ網４０と記す。
【００２６】
本発明による圧縮データの課金処理を適用するのは、図１に示す移動無線通信システムにおいて、ＭＳ７０とＩＳＰ４０との間で送受信されるデータに対してである。特にＧＧＳＮ２０からＳＧＳＮ１０に送信されるＭＳ７０向けの圧縮された下りパケットデータに対する課金処理に特徴がある。
【００２７】
ＩＳＰ４０とＧＧＳＮ２０、ならびに、ＧＧＳＮ２０とＳＧＳＮ１０の間を接続する回線の種類については、本発明で提供される課金システムでは限定しない。
【００２８】
図２は、ゲートウェイ・ノード装置（ＧＧＳＮ）２０の内部構成例を示すブロック構成図である。図２を使用して、ＧＧＳＮ２０内の機能構成とパケット課金処理との詳細について説明する。
【００２９】
図２において、ＧＧＳＮ２０は、圧縮前データ受信処理部２０１と、ＩＳＰ側パケット送受信情報記録部２０２と、データ圧縮処理部２０３と、課金演算処理部２０４と、課金制御情報管理部２０５と、圧縮済データ送信処理部２０６と、ＭＳ側パケット送受信記録部２０７と、圧縮済データ受信処理部２０８と、データ伸長処理部２０９と、課金情報記録部２１０と、伸長後データ送信処理部２１１とを有している。
【００３０】
ＩＳＰ４０からのパケットを受信したＧＧＳＮ２０は、圧縮前データ受信処理２０１において、ＩＳＰ４０からの受信パケット情報を作成し、作成した情報をＩＳＰ側パケット送受信情報記録部２０２に対して送信することにより、受信パケット情報を保存すると共に、データ圧縮処理部２０３に受信したパケットデータを転送する。
【００３１】
データ圧縮処理部２０３では、圧縮前データ受信処理部２０１から転送されたパケットデータを課金演算処理部２０４に引き渡すと共に、同パケットデータを所定のデータ圧縮アルゴリズムによるデータ圧縮を行い、課金演算処理部２０４から返される課金付加情報を付与して、圧縮済データ送信処理部２０６に転送する。データ圧縮処理部２０３で使用するデータ圧縮アルゴリズムの方式については、本発明における課金システムでは限定するものではない。
【００３２】
課金演算処理部２０４では、データ圧縮処理部２０３から渡される圧縮前のパケットデータに対し、課金制御情報管理部２０５にて管理されているパケット課金キー情報を読み出し、該当パケットに関する課金情報（課金付加情報）を作成し、データ圧縮処理部２０３に対して出力する。
【００３３】
課金制御情報管理部２０５では、送受信パケットに対する課金を行う為のキーとなる情報群を保存し、保存されている情報を課金演算処理部２０４からの要求に従って、課金制御情報（課金キー情報）を提供する。なお、課金制御情報管理部２０５で管理している課金キー情報としては、プロトコル種別，接続先ポート番号，接続先ＩＰアドレス情報，及び加入者のサービス契約条件に基づいた情報等があるが、本発明における課金システムではこれに限定するものではない。
【００３４】
圧縮済データ送信処理部２０６では、データ圧縮処理部２０３から渡された、圧縮済みパケットデータと課金付加情報とをマージするとともに、ＳＧＳＮ１０−ＧＧＳＮ２０間のデータ転送プロトコルヘッダを付与した後、ＳＧＳＮ１０に向けてパケットデータを送信すると共に、ＭＳ７０に向けて送信したパケット情報を作成し、ＭＳ側パケット送受信記録部２０７に対して送信することにより、送信パケット情報を保存する。
【００３５】
ＭＳ側パケット送受信情報記録部２０７では、圧縮済データ送信処理部２０６から渡されたＧＧＳＮ２０からＳＧＳＮ１０に向けて送信された送信パケット情報と、圧縮済データ受信処理部２０８から渡されたＧＧＳＮ２０がＳＧＳＮ１０から受信した受信パケット情報を保存する。
【００３６】
圧縮済データ受信処理部２０８では、ＳＧＳＮ１０から送信されたパケットデータを受信し、受信したパケットデータをデータ伸長処理部２０９に引き渡すと共に、ＭＳ側パケット送受信処理部２０８に対して受信したパケット情報を送信し、保存する。
【００３７】
データ伸長処理部２０９では、圧縮パケットのデータ伸長処理を実施し、復元されたパケットデータを課金演算処理部２０４に引き渡し、課金演算処理部２０４から出力される課金情報と共に伸長後のパケットデータを伸長後データ送信処理部２１１に転送する。
【００３８】
伸長後データ送信処理部２１１では、データ伸長処理部２０９から渡された伸長後パケットデータをＩＳＰ４０に対して送信後、同じくデータ伸長処理部２０９から渡された課金情報を課金情報記録部２１０に送信し、ＩＳＰ向け送信パケットに関する課金情報を保存すると共に、ＩＳＰ側パケット送受信情報記録部２０２に対して、送信パケット情報を引き渡し、送信パケット情報を記録する。
【００３９】
図３は、アクセス制御・ノード装置（ＳＧＳＮ）１０の内部構成例を示すブロック構成図である。図３を使用して、ＳＧＳＮ１０内の機能構成と実現処理との詳細について説明する。
【００４０】
図３において、ＳＧＳＮ１０は、ＧＧＳＮ側データ受信処理部１０１と、ＧＧＳＮ側データ送受信情報記録部１０２と、課金情報記録部１０３と、ＭＳ側下りデータ送信処理部１０４と、ＭＳ側パケット送受信情報記録部１０５と、ＭＳ側上りデータ受信処理部１０６と、受信データ判定処理部１０７と、応答データ作成処理部１０８と、課金演算処理部１０９と、ＧＧＳＮ側データ送信処理部１１０とを有している。
【００４１】
ＧＧＳＮ２０からのパケットを受信したＳＧＳＮ１０は、ＧＧＳＮ側データ受信処理部１０１において、ＧＧＳＮ２０からの受信パケット情報を作成し、作成した情報をＧＧＳＮ側データ送受信情報記録部１０２に対して送信することにより、受信パケット情報を保存する。また、ＧＧＳＮ側データ受信処理部１０１は、ＧＧＳＮ２０から受信したパケット内部に格納されている課金付加情報を取り出し、課金情報記録部１０３に課金付加情報を送信することにより、課金付加情報を一時保存するとともに、ＭＳ側下りデータ送信処理部１０４に受信したパケットデータを転送する。
【００４２】
ＧＧＳＮ側データ送受信情報記録部１０２では、ＧＧＳＮ側データ受信処理部１０１から送信される受信パケット情報ならびにＧＧＳＮ側送信データ処理部１１０から送信される送信パケット情報をそれぞれ格納する機能を有する。
【００４３】
課金情報記録部１０３では、ＧＧＳＮ側データ受信処理部１０１から転送された課金付加情報を保存するとともに、当該パケットデータのＭＳ７０への送達確認時に受信データ判定処理部１０７から呼び出され、保存しておいた課金付加情報を引き渡す機能を有する。
【００４４】
ＭＳ側下りデータ送信処理部１０４では、ＧＧＳＮ側データ受信処理部１０１から転送された受信パケットデータの中から課金付加情報を除く実パケットデータを取り出し、ＭＳ７０−ＳＧＳＮ１０間の無線パケットプロトコルフォーマットに変換して、ＭＳ７０に対してデータ送信を行うと共に、送信したパケット情報をＭＳ側パケット送受信情報記録部１０５に引き渡す。
【００４５】
ＭＳ側下りデータ送信処理部１０４はまた、ＭＳ７０からの受信データに対する応答データを作成する応答データ作成処理部１０８から渡される応答データを、ＭＳ７０に送信する。
【００４６】
ＭＳ側パケット送受信情報記録部１０５では、ＭＳ側下りデータ送信処理部１０４及びＭＳ側上りデータ受信処理部１０６からそれぞれ送信される送受信パケットデータ情報を保存する。
【００４７】
ＭＳ側上りデータ受信処理部１０６では、ＭＳ７０からの受信パケットデータを受信し、受信パケット情報をＭＳ側送受信情報記録部１０５に送信するとともに、受信データ判定処理部１０７に受信パケットデータを転送する。
【００４８】
受信データ判定処理部１０７では、ＭＳ側上りデータ受信処理部１０６から受信したパケットデータの内容を確認し、判定結果に応じた応答データ情報を応答データ作成処理部１０８へ引き渡す。
【００４９】
ＭＳからの送信データを受信した場合には、応答データ作成処理部１０８には、受信完了の旨の応答データ作成指示を出し、ＧＧＳＮ側データ送信処理部１１０へ受信パケットデータを送信する。
【００５０】
ＭＳへの送信パケットに対する送達確認の応答データを受信した場合には、課金情報記録部１０３から当該パケットの課金付加情報を入手し、課金演算処理部１０９で課金処理を行った後、更新された課金情報を課金情報記録部１０３に引き渡す。
【００５１】
応答データ作成処理部１０８では、受信データ判定処理部１０７からの指示に従ったパケットデータを作成し、ＭＳ側下りデータ送信処理部１０４に引き渡す。
【００５２】
課金演算処理部１０９では、受信データ判定処理部１０７から引き渡される課金付加情報から課金演算を行い、演算結果を受信データ判定処理部１０７に引き渡す。
【００５３】
ＧＧＳＮ側データ送信処理部１１０では、受信データ判定処理部１０７から引き渡された受信パケットデータをＧＧＳＮ２０に向けて送信すると共に、送信したパケット情報をＧＧＳＮ側送受信情報記録部１０２に転送し保存する。
【００５４】
次に、本実施の形態例の全体の動作について詳細に説明する。
【００５５】
ＩＳＰ４０からのパケットを受信したＧＧＳＮ２０では、呼接続情報で与えられたデータ圧縮方式に従ってデータ圧縮が実行され、データ圧縮前のパケットサイズを格納した課金付加情報を生成するとともに、圧縮後のパケットデータに対して付与され、ＭＳ７０に送信する為にＳＧＳＮ１０に向けてパケット送信される。
【００５６】
課金付加情報を伴う圧縮データを受信したＳＧＳＮ１０は、同データを再送用バッファにコピーするとともに、課金付加情報を取り除いた圧縮データをＭＳ７０に送信する。
【００５７】
送信したパケットデータに対するＭＳ７０からの応答パケットを受信したＳＧＳＮ１０では、再送用バッファに保存しておいた対象パケットの課金付加情報から圧縮前のパケットデータサイズを読み出し、現在通信中のユーザのＭＳ０）方向への課金記録情報内の下りパケットデータサイズと下りパケット数に加算する。
【００５８】
ＭＳ７０からの上りパケットデータを受信したＳＧＳＮ１０は、ＭＳ７０に対して応答パケットを送信するとともに、ＧＧＳＮ２０に対して受信したパケットデータを送信する。
【００５９】
ＳＧＳＮ１０からのパケットデータを受信したＧＧＳＮ２０は、当該パケットの伸長処理を行うとともに、現在通信中のユーザのＩＳＰ４０方向への課金記録情報内の上りパケットデータサイズと上りパケット数に加算する。
【００６０】
以上説明したように、従来では下り方向へのパケット通信の際、送達確認時のパケットサイズである圧縮後のデータサイズで課金されていた課金処理が、本発明によれば、課金付加情報を付与することにより、圧縮前のデータサイズによる正確な課金処理が実現可能となる。
【００６１】
また、ＧＧＳＮでの下りパケット圧縮の際に、圧縮対象となるパケットのサービスプロトコル、サービスポート番号、接続先ＩＳＰ内のインタネットサーバのＩＰアドレスなどの情報、並びにユーザの通信サービス契約（Ｑｏｓ）情報に基づいた条件による課金情報を、前述の課金付加情報に設定することにより、ユーザのパケット通信に対して課金／非課金等を自動的に判定可能となる為、より精密な課金処理が可能な課金システムが実現できる。
【００６２】
さらに、データの圧縮／非圧縮に関わらず、課金処理が実施できる為、データ圧縮を伴わないパケットシステムでも導入が可能となる
【図面の簡単な説明】
【００６３】
【図１】本発明の移動無線通信システムの一実施の形態を示すシステム構成図である。
【図２】図１に示すＧＧＳＮ（ゲートウェイ・ノード装置）の内部構成例を示すブロック構成図である。
【図３】図１に示すＳＧＳＮ（アクセス制御・ノード装置）の内部構成例を示すブロック構成図である。
【符号の説明】
【００６４】
１０    アクセス制御・ノード装置（ＳＧＳＮ）
２０    ゲートウェイ・ノード装置（ＧＧＳＮ）
３０    認証サーバ
４０    インターネット網（ＩＰ網）／インターネットサービス事業者（ＩＳＰ）
５０    無線基地局制御装置（ＢＳＣ）
６０    無線基地局（ＢＴＳ）
７０    移動無線端末（ＭＳ）
８０    移動交換局（ＭＳＣ）
１０１    ＧＧＳＮ側データ受信処理部
１０２    ＧＧＳＮ側データ送受信情報記録部
１０３    課金情報記録部
１０４    ＭＳ側下りデータ送信処理部
１０５    ＭＳ側パケット送受信情報記録部
１０６    ＭＳ側上りデータ受信処理部
１０７    受信データ判定処理部
１０８    応答データ作成処理部
１０９    課金演算処理部
１１０    ＧＧＳＮ側データ送信処理部
２０１    圧縮前データ受信処理部
２０２    ＩＳＰ側パケット送受信情報記録部
２０３    データ圧縮処理部
２０４    課金演算処理部
２０５    課金制御情報管理部
２０６    圧縮済データ送信処理部
２０７    ＭＳ側パケット送受信情報記録部
２０８    圧縮済データ受信処理部
２０９    データ伸長処理部
２１０    課金情報記録部
２１１    伸長後データ送信処理部
【図１】
2005109537.tif 000003
【図２】
2005109537.tif 000004
【図３】
2005109537.tif 000005